(57)【要約】      （修正有）【課題】プチトマト、うずらの卵、団子のような楕円体の食材を、二個以上の目的の数等で、或いは状態の異なる料理を区分けして、又は一つの物を分離しながら、取り込むことが可能な、定数分受け留め具を提供する。【解決手段】無目材か有目材の、前面部２１と底面部７と二箇所の側面部４と後面部で成る玉部１内の底面部７上に一箇所以上の仕切り部２か凹み部を備えて、或いは前記の仕切り部２か凹み部を前記玉部１に対応する着脱機能か半回転機能を有する代用部側に設け、当代用部を前記玉部１に取り付けることによって、二箇所以上の受け留め部を有することを特徴とする。【選択図】図１
2019042458.tif 000002
【特許請求の範囲】
【請求項１】
無目材か有目材の、前面部と底面部と二箇所の側面部と後面部で成る玉部内の底面部上に一箇所以上の仕切り部か凹み部を備えて、或いは前記の仕切り部か凹み部を前記玉部に対応する着脱機能か半回転機能を有する代用部側に設け、当代用部を前記玉部に取り付けることによって、二箇所以上の受け留め部を有することを特徴とする、定数分受け止め具。
【請求項２】
前面部から底面部へ平板状で繋がる前記前面部側が高さ壁を有さない玉部の、任意の一個の楕円体が挿入可能な間口幅を残して前記前面部の左右箇所まで側面部を回り込んで、或いは底面部を前方に向け次第に狭めて、かつ楕円体が二個以上の場合は数や大きさや振動幅を加味して、前記前面部側の壁を設けることを特徴とする、請求項１記載の定数分受け留め具。
【請求項３】
前面部に、任意の一個の楕円体が通過可能な間口幅の湾状の欠け所を設け、この欠け所の奥側に前記楕円体が最接近した時、前記楕円体の最下位置の欠け所内との接点より奥と左、右の縁近隣までが類似の距離を有し、前記の縁の上での前記楕円体の胴位置は前面部内の空中に在る状態で、かつ楕円体が二個以上の場合は数や大きさや振動幅を加味して、前記欠け所を設け、当欠け所を形づくる湾状の両端は緩やかなラインを描きそれぞれ左、右に広がることを特徴とする、請求項１、２記載の定数分受け止め具。
【請求項４】
無目材か有目材で成る、前面部から底面部へ平板状で繋がる前記前面部側が高さ壁を有さない玉部の、任意の一個の楕円体が挿入可能な間口幅を残して前記前面部の左右箇所まで側面部を回り込んで、或いは底面部を前方に向け次第に狭めて、かつ楕円体が二個以上の場合は数や大きさや振動幅を加味して、前記前面部側の壁を設けることを特徴とする、定数分受け留め具。
【請求項５】
無目材か有目材で成る玉部の前面部か側面部に、任意の一個の楕円体が通過可能な間口幅の湾状の欠け所を設け、この欠け所の奥側に前記楕円体が最接近した時、前記楕円体の最下位置の欠け所内との接点より奥と左、右の縁近隣までが類似の距離を有し、前記三箇所の縁の上での前記楕円体の胴位置は前面部内の空中に在る状態で、かつ楕円体が二個以上の場合は数や大きさや振動範囲を加味して、前記欠け所を設け、当欠け所を形づくる湾状の両端は緩やかなラインを描きそれぞれ左、右に広がることを特徴とする、定数分受け止め具。
【発明の詳細な説明】
【技術分野】
【０００１】  本発明は、スプーン、お玉、トング等のすくい具に関する。
【背景技術】
【０００２】  従来型のお玉やスプーンの玉部は一つの凹み状で成る。フォークは数本の刃で成る。イチゴスプーンの前面部は三か所に分離し隙間が少なく、中央の細い串先は尖り、左右の幅広い串先端には角を残している。トングの両玉部を合わせて生じる中間形状はシンプルな空間形状である。試食用、味見用スプーンは一つの凹み状で成る。
【先行技術文献】
【特許文献】
【０００３】  お玉＋仕切り  →０個
トング＋仕切り→５個
お玉＋凹み    →特開２０１１−０６２５１５→ハンドル具
トング＋凹み  →特開２０１４−１１３３５１→串外し用トング
実登３０８４５２５→万能スコップ付はさみ
【発明の概要】
【発明が解決しようとする課題】
【０００４】  そのために次のような問題点があった。
○サラダバーに於いては、自分の手を直接大皿上で使う事が出来ないために、
・大皿より取り込もうとするプチトマトが仮に二個ならばこれを小皿に移す時、一度では掴みにくく、スプーンやトングで一つずつ二回掴み皿へは二回運ばなければならなかった。
・プチトマトをフォークで刺すと汁が飛び散った。
・小さなケーキは一つずつ挟んで、少し変形させて取り込まなければならなかった。
・へらやフライ返しには、左右の側面部がなくて載せた物が落ち易かった。
・従来のお玉は汁物を受け止めるためには好都合な形状であるが、プチトマト、うずらの卵、団子のような固形の食材を、二個以上の目的の数で取り込むにはやりにくかった。
・従来型トングは、食材を大雑把に取ったり、一つだけを取り込むには好都合であるが、固形の食材を２個以上の目的の数で取り込むにはやりにくかった。
○取っ手部を有するスプーンやお玉内で区分けして、別種の料理を載せられなかった。
○揚げ物の数が分かりにくかった。
【発明が解決しようとする課題】
【０００４】  無目材か有目材の、前面部と底面部と二箇所の側面部と後面部で成る玉部内の底面部上に一箇所以上の仕切り部か凹み部を備えて、或いは前記の仕切り部か凹み部を前記玉部に対応する着脱機能か半回転機能を有する代用部側に設け、当代用部を前記玉部に取り付けることによって、二箇所以上の受け留め部を有することを特徴とする。
【発明の効果】
【０００６】・球形のプチトマトを二個あるいはそれ以上が、一度に確実に掬えるようになった。
・プチトマトの汁が飛ばなくなった。
・小さなケーキは左右の側面部で固定され、落とすことなく一度に一個以上を崩さずに取り込めるようになった。
・掬い取った食材の数が分かり易くなった。
・汁の方も同時に掬えるようになった。
・汁が不要な場合、固形食材のみを掬うことが出来るようになった。
・豆腐のような柔らかい食材を、切り分けて取り込むことが出来るようになった。
・試食、味見用のスプーンに於いて、二種類以上の料理が入れられるようになったり、ドレッシングが添えられるようになった。
・入れ易く、出し易い形状なので、出し入れがやり易くなった。
・仕切り部を前方側に設けることによって、玉部内部の高さも側面部と同じになり、形を崩さずに煮物が載せられ、汁も溜められるようになった。
・食材に限らず、ビー玉等の球形の物が目的の数で掬えるようになった。
・固形や汁をまとめて玉部より出せるようになり、量や数に対して手加減し易くなった。
【図面の簡単な説明】
【０００７】
【図１】  第一形態の平面図である。
【図２】  第一形態の底面図と左側面図と断面図である。
【図３】  第一形態の正面図である。
【図４】  第一形態の使用図である。
【図５】  第一形態の平面図である。
【図６】  第一形態の平面図である。
【図７】  第一形態の平面図である。
【図８】  第一形態の使用図である。
【図９】  第一形態の斜視図である。
【図１０】  第二形態のセット状態の断面図と代用部である。
【図１１】  第二形態のセット状態である。
【図１２】  第三形態の斜視図と使用図である。
【図１３】  第四形態の平面図である。
【図１４】  食材と欠け所との関係を示す斜視図である。
【発明を実施するための形態】
【０００８】  玉部（１）と取って部（３）は主に一直線状に有し、図面でのこの方向を縦向きとする。図面内の矢印は側面部（４）の主となる高さ位置を示す縁ライン（８）とする。定数とは目的の数を表す。前面部（２１）が側面部と同じ程度の高さを有する場合（前面部と底面部が交差）と、前面部が底面部から続けて同じ平板状になる場合（前面部と底面部が同位）がある。同位の場合には、側面部のない箇所を前面部とする。
平板状箇所（６）やストッパー（２５）や湾状の欠け所（１０）については、段落の００１７以降で詳細を説明する。食材（９）やプチトマト等と楕円体を同義語とし、別食材の場合は説明を加える。
以下は仕切り部、凹み部、ミックス型や穴の説明である。
底面部（７）の上面より上に突き出る箇所を仕切り部（２）とし、底面上に接着するか、底面側から押し上げるか、型取り等で設ける。また仕切り部は直線状とは限らず、曲線状や輪状、蛇行状、渦巻状等がある。
底面部上面より下側に凹む箇所を凹み部（１２）とする。裏側に波状で現れる場合、現れない場合がある。凹み部の周囲が持ち上がって仕切り部状態になる場合等は、仕切り部と凹み部のミックス型と捉える。
凹み部とは削って又は押し込んで設け、その極限では貫通する。従って穴には凹み部内にある穴と平面にある穴の二種類がある。
【０００９】  図１〜図９を用いて、２〜４個の受け留め部（５）を有する第一形態を説明する。
図１〜図５で、仕切り部（２）を有する場合を説明する。前面部を出来るだけ平板状で設ける。
先ず図１〜図４までを前面部（２１）と底面部（７）が交差関係にある場合とする。この交差関係か同位関係にこだわらない場合は今後明示しない。
図１は玉部（１）の底面部上に仕切り部を縦向きに一本設けた場合の平面図で、仕切り部の両側が受け留め部になる。ａは独立する場合、ｂは取って部の一部を玉部の壁に被せる、接合する等で、取って部（３）に繋がっている場合である。仕切り部の少なくとも一方の端部が玉部の周囲壁から離れている。両端を側面部の左右側に繋いだ場合もある。
図２ａは図１の場合の底面図、ｂは左側面図、ｃは左側面図における玉部の横方向の断面図である。
図３は正面図で、ａは前面部に関して前図１、２の形状の場合、ｂは前面部の平板状箇所（６）が左、右の側面部（４）の主な縁ライン（８）より上方へ突き出した場合である。縁ライン方向を水平と捉える。
【００１０】  図４で使い方を説明する。大皿上のプチトマト等の食材（９）の群れに、取って部（３）を持ち、前面部（２１）から縦向きに差し込む。受け留め部（５）に定数分を掬って皿に移す。移す時は平板状箇所（６）の上面側から滑り落とす。掬える楕円体の食材は、他にうずらの卵や団子や豆等である。ａは前面部の縁と左、右の側面部（４）の主な縁ライン（８）の高さとが同じ位置の場合、ｂは前図３ｂのように前面部の先端が上方へ突き出た場合、ｃはｂに受け留め部内に縦向きに食材を二個ずつ掬った場合の正面図である。
【００１１】  図５で仕切り部（２）を縦向き以外で設ける場合を説明する。ここでは前面部（２１）と底面部（７）とが同位の平板状の場合とする。
図５ａは仕切り部を横向きに設けて、受け留め部（５）を二箇所にした場合、ｂは仕切り部を十文字に設けて、受け留め部を四箇所にした場合である。三箇所にする場合は仕切り部を一部取り除いた形となる。水気が不要な場合には穴（１１）を設ける。
【００１２】  図６〜図９で、凹み部（１２）を有する場合を説明する。
図６は、玉部（１）内に凹み部を設けた平面図である。前面部を出来るだけ平板状で設け、湾状の欠け所（１０）を取り入れた。ａは、凹み部の前方を、出入りを容易にするために傾きの緩い形状で、後部を半球状で設ける。前側に凹み部を二個、奥側に一個の凹み部を有する。ｂは凹み部内部に穴（１１）を有する場合である。
図７の平面図で、汁溜め部（１３）を玉部の後方に設けた場合を説明する。ａは仕切り部（２）を底面部（７）の前寄りに設け、ｂは四個の凹み部を前方に設けた場合である。
使い方の特徴としては前記同様であるが、玉部内部の前方側では高さも側面部（４）と同じになり、崩れ易い煮物を崩さずに皿に移せ、また汁も取り出すことが出来る。
【００１３】  図８、図９で、仕切り部（２）や取って部（３）の変形について説明する。
取っ手部についてはこれまで握って持つ形状で説明してきたが、ここでは、置いて使う形状で説明する。安定性を満たすことが必要になる。
図８は使用図で、仕切り部の先端を刃箇所（１４）として活用する場合である。取って部下端と一部の側面部（４）が繋がっている。取って部は手へのストッパー機能を持つことになる。
前面部（２１）から底面部（７）を同位で設け、ａは持っている状態、ｂは刃箇所に豆腐（２３）のような柔らかい食材（９）を当てて、押し込み切り分ける状態である。取って部は他に上方へ立ち上がる形状もあり、この時は背部側から全体を握って持つことになる。玉部（１）を直接持てるような小さな型の場合は取って部を削除する。
図９はテーブル上にセットした試食、味見用のスプーンの斜視図で、取って部の端部（１５）が、底面部最下端位置と同じ水平上にあるようにした場合で、ａは仕切り部を縦向きで、ｂは仕切り部を円状で設けている。
【００１４】  使い方としては、プチトマトを掬ったり、両方の受け止め部（５）に異種の料理を入れる。或いは片方に料理、他方にドレッシングを入れる。特にｂの場合は、受け止め部に食材（９）を掬い取って落ち着いてから、円内にドレッシング等を入れる。プチトマトは円状の受け留め部の回りに並ぶ。
その他として、曲線で仕切り部を設ける場合もある。
仕切り部の中間位置が底面部（７）から上へ離れている型もあり、空間があることで水分の流れがよくなるとか、豆腐（２３）等の食材が密着し過ぎることなく外れて出易い等のメリットがある。蛇行、渦巻で設ければ、楕円体の出方に変化が生じる。
【００１５】  図１０、図１１を用いて、代用部側に疑似的な仕切り部（２）か凹み部（１２）を有する第二形態を説明する。
代用部はその端部が、対象の玉部（１）に添う形状で、板状代用部（１６）と格子状代用部（１８）の例を示す。
図１０は着脱可能なはめ込み式の場合で、ａは玉部内に挟持部（１７）箇所でのセット状態の断面図、ｂはａの場合の板状代用部の図で、玉部内側で前後方向にセットした時、代用部の両端部が添う形状である。
図１１は代用部が格子状の場合での、ａは玉部内に格子状代用部をはめ込んだ、ｂは玉部に代用部を被せた使用図である。
使い方の特徴としては、仕切り部（２）が不要で玉部だけが必要な時は、代用部を取り外す。取って部（３）の根本で半回転する機能を有する場合は、不要な時に仕切り部を取って部側に倒して通常の玉部として使用する。格子状代用部は填め込んだ楕円体（９）の腹回り位置を一周して留めるもので、仕切り部であり凹み部でもある。
【００１６】  図１２を用いて、トング式の第三形態について説明する。
トングは二本の取って部（３）の端部を繋いで繋ぎ部（２０）を有する形状である。少なくとも片方の玉部（１）が、仕切り部（２）か凹み部（１２）を有する。基本的に従来のトング同様に使う。
図１２は玉部同士をかみ合わせた時、凹み部が疑似的に一つになる場合である。このトングの場合は、取って部方向に対し下端（１９）が斜めになっている。この下端から本体へ向け、削って凹みで残すか貫通して空間にするかの二種類がある。ａは使用前の状態、ｂは凹み部が穴（１１）になった場合の使用状態の斜視図である。仕切り部の場合は玉部の両端に設けると、側面部になりストッパーとなる。
使い方は小型の場合は、繋ぎ部を親指と人差し指か中指を添わせて持ち、食材（９）を掬いとるか摘み取る。挟んで使う他の種類でも仕切り部や凹み部の取り付けについては応用可能である。
【００１７】  これまで前面部（２１）と底面部（７）の方向が、交差関係にある場合は、前面部の一部以上に平板状箇所（６）を設けるとしてきた。前面部の先端ラインの位置のみが平板状の場合も含めるが、これによって、そのままで又は前側に少し傾ければ、前面部先端が大皿面上に密着出来るようになり、物を掬い易くなる。前面部と底面部が同位で平板状であればこの点について問題はない。
また以下で説明する湾状の欠け所（１０）を設ければ、つまり当箇所を切除するので、当箇所は必然的に疑似的に平板状になり、前記問題についてはこだわらなくてよくなる。但し、欠け所の左右位置には凹凸等はなくて同時に着地出来る範囲内である。
【００１８】  図１３、図１４を用いて、入った反動での飛び出しを避けるためのストッパー（２５）や、楕円体（９）がより玉部（１）内に入り易くするための欠け所（１０）を、前面部（２１）か側面部（４）に有する、第四形態を説明する。
当形態は前面部と底面部が交差関係にある従来型のすくい具や、前面部と底面部（７）位置が同位の場合や、仕切り部（２）、凹み部（１２）を有する形態等に応用可能である。
前面部と側面部の相違の解釈は、段落０００８の記載内容に基づく。
玉部の後面部側に取って部を有する。
前面部と底面部が同位の場合で説明する。
【００１９】  図１３の平面図で、楕円体（９）の挿入可能な間口幅（２４）を残してストッパー（２５）を前面部（２１）に有する場合で説明する。
前面部の左右に任意の一個程度の楕円体が挿入可能な間口幅を残して、前面部側へ壁のストッパーを設けた。ａは前面部箇所まで側面部（４）を回して、ｂは底面部を前方に向け次第に狭めて、側面部をそれに添わせて延長した形状でストッパーとした場合である。別の言い方をするなら、底面部の前方側の方が後方側より広いフライ返しに対して前方側を狭くした。
ストッパーの有無は選択でかまわない。
楕円体が二個以上の場合は数や大きさや振動範囲を加味して、前記間口幅を残して前面側の壁を設ける。その他、先端箇所に独立した壁を設ける場合もある。
前面部下端に柱を設けて高さを調節すれば、卓上に置くことも出来る。
【００２０】  図１４の使用斜視図を用いて、欠け所（１０）を有する場合を説明する。
前面部（２１）に有する場合で説明する。
前面部の先端から内側に向けて湾状に設けた欠け所は、同位の場合は楕円体（９）の通り道となる。
欠け所の奥に最接近した時の楕円体の最下点（２２）位置を黒点で表す。この黒点を中心にして奥側と左、右側の縁の約１８０度分にかかる三箇所の縁点（２６）までを、挿入する楕円体の長径の半分以内の長さｒで設ける。このｒについては、前面部の厚みや対象とする楕円体の大きさ、曲面の形状に関わり、確定できない。
通常のお玉として使いたい時は、前図３ｂ、４ｂのような縁ライン（８）より上に突き出した前面部内にこの欠け所を設ければ、元の機能にあまり影響は無い。
交差の場合での欠け所は、底面部の左右両端部位置の丁度折り曲げた交差箇所に設ける。これは前図１３に類似してくる。
【００２１】  前面部（２１）の中央に先端側から、任意の一個の楕円体（９）が通過可能な間口幅（２４）を有する湾状の欠け所（１０）を設ける。この欠け所の奥側に楕円体が最接近した時、楕円体の最下位置の欠け所内との接点（黒点位置）より奥と左、右の縁近隣までが、類似の距離を有する形状である。
この状態の前記三箇所の縁の上の楕円体の胴位置は、前面部内の空中に同時に在り、楕円体の下端側の曲面位置より上側の胴体側の方が幅広い楕円体は、三か所の縁点（２６）より奥の前面部内に既に入り込んでいる。そのため前面部を持ち上げれば、玉部に完全に入る仕組みである。
図ａは欠け所の奥に最接近した時の楕円体の最下点位置が、黒点位置に来るようにした場合、ｂはａの欠け所付近の拡大図である。ｃは黒点位置まで楕円体が届いた状態である。
楕円体が二個以上の場合は数や大きさ、振動幅を加味して、前記欠け所を設ける。
【００２２】  全形態について基本的に使い方を纏めると、楕円体（９）が一、二個程度なら同時に真正面から掬い、三個目め位からは斜めに向けて掬う。仕切り部（２）や凹み部（１２）が在れば、片方の受け留め部（５）に収めて次を掬う。
ストッパー（２５）や欠け所（１０）の有無にかかわらず、楕円体に対して前面部（２１）寸前までは掬う方法で行い、そこからすぐに先端を上へ持ち上げる方法に変える。そのためにその縦回転の動きを妨げない底形状は、その動きの方向を軸に、左右対称に皿上に接する必要がある。従って前面部から底面部（７）は平板状とはかぎらず、カーブ状であってもよい。
欠け所を前面部に設けるのが好都合であるが、横回転の時、皿上に接する箇所が左右対称であれば、側面部に設けることも出来る。
【符号の説明】
【００２３】  １    玉部                  ２    仕切り部            ３    取っ手部
４    側面部                ５    受け止め部          ６    平板状箇所
７    底面部                ８    縁ライン            ９    食材
１０  欠け所                １１  穴                  １２  凹み部
１３  汁溜め部              １４  刃箇所              １５  端部
１６  板状代用部            １７  挟持部              １８  格子状代用部
１９  下端                  ２０  繋ぎ部              ２１  前面部
２２  楕円体の最下点        ２３  豆腐                ２４  間口幅
２５  ストッパー            ２６  縁点
【図１】
2019042458.tif 000003
【図２】
2019042458.tif 000004
【図３】
2019042458.tif 000005
【図４】
2019042458.tif 000006
【図５】
2019042458.tif 000007
【図６】
2019042458.tif 000008
【図７】
2019042458.tif 000009
【図８】
2019042458.tif 000010
【図９】
2019042458.tif 000011
【図１０】
2019042458.tif 000012
【図１１】
2019042458.tif 000013
【図１２】
2019042458.tif 000014
【図１３】
2019042458.tif 000015
【図１４】
2019042458.tif 000016